(57)【要約】      （修正有）【課題】取っ手を福耳形状にして、デザインと機能を良くした飲料容器を提供する。【解決手段】取っ手を有する飲料容器に於いて、福耳形状取っ手部１と飲料容器部２を一体成形し、福耳特有の美的デザインと趣を醸し出し、使い勝手が良好になる機能をも持たせる。取っ手部と飲料容器部を異質素材にて別個に作成し、これらを種々に組み合わせて合体構成してもよい。【選択図】図１
0003197955.tif 000002
【実用新案登録請求の範囲】
【請求項１】
本考案は、取っ手を有する飲料容器に於いて、取っ手の形状を福耳形状と成し飲料容器に保持すべくなした構成を特徴とした福耳形状取っ手部を有する飲料容器。
【請求項２】
福耳形状取っ手部と飲料容器部を同一材質の素材にて構成するを特徴とした請求項1記載の福耳形状取っ手部を有する飲料容器。
【請求項３】
福耳形状取っ手部と飲料容器部を異材質素材にて構成するを特徴とした請求項1記載の福耳形状取っ手部を有する飲料容器。
【考案の詳細な説明】
【技術分野】
【０００１】
本考案は、取っ手を有する飲料容器に於いて、取っ手部を福耳形状に成し、これと飲料容器部とを同一材質の素材にて一体成形とし、並びに福耳形状取っ手部と飲料容器部とが異質素材でそれぞれ成形し、これらを組み合わせによる福耳形状取っ手部を有する飲料容器の構成に関する。
【背景技術】
【０００２】
近年、多様な生活様式の食文化の中で、特に食器に関心を持つ人々が多くなり、陶磁器工芸展等では大盛況であり、デザインの好み、機能の良さ、材質の手触り良さ、これ等を総合して使え勝手の良いものを求める人々が多くなてきた。
【０００３】
しかし、飲料容器部本体そのものの豊富なデザインや機能の良さ、使え勝手を追求した商品が出回っているが、取っ手部については御座成りになり、アンバランスに成っているのが現状である。
【考案の概要】
【考案が解決しようとする課題】
【０００４】
本考案は取っ手部分を福耳形状にして、美的デザインと趣のあるものとして好感を持たれるのと使い勝手が良好になる機能をも併せて構成することを特徴としたものである。
【課題を解決するための手段】
【０００５】
福耳は古来より福耳特有の美的デザインと福耳独特な趣を醸し出し人々に好感が持たれており、これを取っ手部に応用して、飲料容器の取っ手部を福耳形状にすることで美的デザインと福耳独特な趣を醸し出させ、併せて使い勝手が良好になる機能をも持たせ、これら福耳形状取っ手部と飲料容器部本体を一体成形することと、福耳形状取っ手部と飲料容器部本体を各種の異質素材にてそれぞれ双方を成形し、これらを種々の組み合わせにして合体構成するすることで、バライティーに富む異質素材福耳形状取っ手部を有する飲料容器にし、良好なバランスを保つことを特徴としたものである。
【考案の効果】
【０００６】
従来の様に飲料容器の取っ手部分を御座なりにすることでなく、飲料容器の取っ手部を福耳形状にすることで、福耳特有の美的デザインと独特な趣を醸し出ささせ、これと飲料容器部とを一体成形することで全体的に良好なバランスが取れ、機能に於いても手触り、持ち易い及び使え勝手が良好になる。
【０００７】
福耳形状取っ手部と飲料容器部を各種の異質素材でそれぞれ双方を成形し、これらを種々の組み合わせにして合体構成するすることで、福耳特有の美的デザインと独特な趣に加えて、その材質特有の美的感覚、手触り感覚の良さ、滑らず持ち易すい及び熱くならない断熱の良さ、これらを総合して、機能的に使い勝手が良好になることで従来の問題点をを解決するものである。
【図面の簡単な説明】
【０００８】
【図１】本考案実施例の福耳形状取っ手部マグカップの斜視図である
【図２】本考案実施例の中空洞福耳形状取っ手部マグカップの斜視図である
【図３】本考案実施例のくりぬき福耳形状取っ手部マグカップの斜視図である
【図４】本考案実施例の異質素材系福耳形状取っ手部マグカップの斜視図である
【図５】本考案実施例の補強芯を有する軟質系福耳形状取っ手部マグカップの斜視図である
【図６】本考案実施例のマグカップを裏返しに置いた状態の斜視図である
【図７】本考案実施例のマグカップを手に持った状態の斜視図である
【図８】本考案実施例の福耳形状取っ手部ティーカップの斜視図である
【図９】本考案実施例の福耳形状取っ手部ジョッキの斜視図である
【図１０】本考案実施例の双方福耳形状取っ手部スープカップの斜視図である
【考案を実施するための形態】
【０００９】
以下、本考案の実施の形態について説明する。   飲料容器の取っ手部を福耳形状にして福耳特有の美的デザインと独特な趣を醸し出ささせ、飲料容器部本体と併せて全体的に良好なバランスが保たれ、機能に於いても手触り感覚の良さ、滑らず持ち易い、熱くならない断熱の良さ、３点保持ができ安定し持ち易く、置いたときも福耳取っ手の下部が着くので安定し、これ等を総合して使え勝手が良好になるものである。
【００１０】
本考案を実施例で示すと、図１に於いて、福耳形状取っ手部分（１）と飲料容器部本体（２）とを同一材質の素材で一体成形するマグカップで、陶磁器製では手指作業作成、ろくろう作業作成及び型押し作業作成にし、金属製では型に流し込む作業作成、ガラス製では型押しや吹き込み作業作成、合成樹脂では射出成形作業作成及び木材及び石材等では彫刻作業やろくろう作業作成にするもので有り、底縁（４）と福耳下部（６）は同一低位置にして、マグカップを置いた時、底縁（４）と福耳下部（６）が水平に着くため安定するものである。
【実施例】
【００１１】
本考案を実施例で示すと、図１に於いて、福耳形状取っ手部分（１）と飲料容器マグカップ（２）とを同一材質素材で一体成形するマグカップで、陶磁器製では手指作業作成、ろくろう作業作成及び型押し作業作成にし、金属製では型に流し込む作業作成、ガラス製では型押し及び吹き込み作業作成、合成樹脂では射出成形作業作成、木材及び石材等では彫刻作業やろくろう作業作成にするもので有り、底縁部（４）と福耳下部（６）は同一低位置にして、マグカップを置いた時、底縁部（４）と福耳下部（６）が水平に着くため安定するものである。
【００１２】
本考案を実施例で示すと、図２に於いて、中空洞福耳形状取っ手部（7）は中空洞状態に構成し軽量にしたものであり、切欠け部（8）、断面部（9）及び中空洞部（10）を示す。
【００１３】
本考案を実施例で示すと、図３に於いて、くりぬき福耳形状取っ手部（１１）はくりぬき状態に構成し軽量にしたものであり、くりぬき部（12）を示す。
【００１４】
本考案を実施例で示すと、図４に於いて、飲料容器マグカップ（2）と異質素材系福耳形状取っ手部（１３）は異質素材系にて、主に陶磁器製、金属製、ガラス製、合成樹脂製び木材製及び石材製にし、それぞれ個別に作成し、これら個々を種々の組み合わせて、飲料容器マグカップ（2）と異質素材系福耳形状取っ手部（１３）の接合箇所（14）にて接着、融着、嵌着、鋲着及び及び螺子留めにて接合合体により構成する異質素材系福耳形状取っ手部（13）マグカップである。
【００１５】
本考案を実施例で示すと、図５に於いて軟質系福耳形状取っ手部分（１5 ）は強度を増すための補強芯（１6 ）を設け、これを飲料容器マグカップ（２）に固着し、この補強芯（１6）を中心としてシリコンゴム又はゴム質系素材で形成する軟質系福耳形状取っ手部分マグカップである。
【００１６】
本考案を実施例で示すと、図６に於いて飲料容器部マグカップ（２）の口縁部（３）の高さより福耳形状取っ手部（１）の福耳上部（5）の高さが高くなるように作成したマグカップを裏返しに置くと、置き台面（１7）と口縁部（３）との間に斜めの隙間（１8）ができ、これに依ってマグカップを洗浄した後の水切り易く、乾きが早くなり、衛生的あり、飲料容器部マグカップ（２）の口縁部（３）は円弧になっているので倒れない特徴がある。
【００１７】
本考案を実施例で示すと、図７に於いてマグカップを手に持つと、福耳形状取っ手部（１）が各指とフィットし、親指（１9）、人差し指と中指（20）、薬指と小指（21）で3点保持状態になり安定して持ち易くなるものである。
【００１８】
本考案を実施例で示すと、図８に於いて福耳形状取っ手部分（１）を有する飲料容器ティーカップ（２2）である。
【００１９】
本考案を実施例で示すと、図９に於いて福耳形状取っ手部分（１）を有する飲料容器ジョッキ（２3）である。
【００２０】
本考案を実施例で示すと、図１０に於いて福耳形状取っ手部分（１）を双方に有する飲料容器スープカップ（２4）である。
【符号の説明】
【００２１】
（１）福耳形状取っ手部   （２）飲料容器部マグカップ   （３）口縁部   （４）底縁部   （５）福耳上部     （６）福耳下部     （７）中空福耳形状取っ手部   （８）切欠部   （９）断面部   （１０）中空洞部   （１１）くりぬき福耳形状取っ手部   （１２）くりぬき部   （１３）異質素材系福耳形状取っ手部   （１４）接合箇所   （１５）軟質系福耳形状取っ手部分   （１６）補強芯   （１７）置き台面   （１８）斜めの隙間   （１９）親指   （２０）人差し指と中指   （２１）薬指と小指   （２２）飲料容器ティーカップ   （２３）飲料容器ジョッキ   （２４）飲料容器スープカップ
【図１】
0003197955.tif 000003
【図２】
0003197955.tif 000004
【図３】
0003197955.tif 000005
【図４】
0003197955.tif 000006
【図５】
0003197955.tif 000007
【図６】
0003197955.tif 000008
【図７】
0003197955.tif 000009
【図８】
0003197955.tif 000010
【図９】
0003197955.tif 000011
【図１０】
0003197955.tif 000012